(57)【特許請求の範囲】
【請求項１】
身体的情報を認証した後に、所定のコピーモードに従って画像処理を実行する画像処理装置であって、
画像データを入力する画像入力手段と、
前記入力された画像データを記憶する記憶手段と、
前記身体的情報を入力する身体的情報入力手段と、
前記身体的情報の照合前のコピーモードを設定し登録するモード登録手段であって、該モード登録手段は、
前記所定のコピーモードを選択するモード選択手段と、
前記身体的情報入力手段により入力された身体的情報から特徴データを抽出する抽出手段と、
前記抽出された特徴データと、前記読取った身体的情報と、前記設定されたコピーモードに関するコピーモード設定情報とを１つのデータパケット情報として登録し、該データパケット情報をメモリに記憶するデータ登録手段と
を含み、
前記選択したコピーモードに従って画像処理を実行する際の、前記身体的情報を照合する身体的情報照合手段であって、該身体的情報照合手段は、
前記身体的情報入力手段により別途入力された身体的情報から特徴データを抽出し、該抽出した特徴データを、前記メモリから読み出された前記データパケット情報に登録された前記特徴データと照合する照合手段と、
前記照合した身体的情報が一致するとき、前記メモリから読み出された前記データパケット情報に登録された前記コピーモード設定情報が登録時の内容と一致しているか否かを認証する登録内容認証手段と
を含み、
前記コピーモード設定情報が登録時の内容と一致していると認証したとき、該登録時のコピーモードに従って、前記記憶手段に記憶されている前記画像データの画像処理を実行する画像処理手段と
を具えたことを特徴とする画像処理装置。
【請求項２】
前記画像データを他の接続機器より送受信する通信手段と、
前記通信手段の通信アドレスを、前記照合手段によって照合された特徴データと関連付けしてアドレス関連情報として登録する通信アドレス登録手段と、
前記登録されたアドレス関連情報に含まれる通信アドレスにより通信処理を実行する際、該通信アドレスに関連付けて登録されている前記特徴データを用いて、通信処理を実行する管理者の照合を行う通信アドレス実行手段と、
前記通信アドレス実行手段によって照合された管理者の指定する通信アドレスに基づいて、前記画像データの送受信を行う通信制御手段と
をさらに具えたことを特徴とする請求項１記載の画像処理装置。
【請求項３】
前記画像入力手段は、原稿を光学的にスキャンして画像データを得るイメージスキャナであることを特徴とする請求項１又は２記載の画像処理装置。
【請求項４】
前記画像入力手段は、ページ記述言語で記述された画像データを得る画像コントローラ若しくはイメージサーバであることを特徴とする請求項１又は２記載の画像処理装置。
【請求項５】
前記画像処理手段は、前記画像入力手段により入力された画像信号に対して色処理、解像度変換、ＭＴＦ補正などの所定の画像処理を実行するために、入力画像信号を電気的に処理することを特徴とする請求項１ないし４のいずれかに記載の画像処理装置。
【請求項６】
前記画像処理手段は、前記画像入力手段により入力された画像信号に対して所定の画像処理を実行し、かつ、ＬＡＮ、インターネット、ファクシミリ、無線などの通信手段のいずれか１つ以上を含むネットワークにより受信した画像に対して所定の画像処理を実行することを特徴とする請求項１ないし５のいずれかに記載の画像処理装置。
【請求項７】
前記画像処理手段は、所定の画像処理を実行した後、該画像処理された画像を出力し、かつ、ＬＡＮ、インターネット、ファクシミリ、無線などの通信手段のいずれか１つ以上を含むネットワークにより送信することを特徴とする請求項１ないし６のいずれかに記載の画像処理装置。
【請求項８】
前記モード登録手段は、前記選択した画像処理を実行するための複数の処理モードの内容を、一連の画像処理項目として連続して実行できるように登録することを特徴とする請求項１ないし７のいずれかに記載の画像処理装置。
【請求項９】
前記通信手段は、画像データ、テキストデータを含むデジタルデータを、ＬＡＮ、インターネット、ファクシミリ、無線を含む複数の通信経路のうちのいずれか１つを少なくとも含むネットワークを介して他の接続機器との間で通信することを特徴とする請求項２ないし８のいずれかに記載の画像処理装置。
【請求項１０】
前記通信アドレス登録手段は、前記通信手段において送受信先として接続可能な送受信先を登録し、ネットワーク上のアドレスとして記憶することを特徴とする請求項２ないし８のいずれかに記載の画像処理装置。
【請求項１１】
前記通信アドレス登録手段は、前記通信手段において送受信先として接続可能な送受信先を登録し、ファクシミリの電話番号として記憶することを特徴とする請求項２ないし８のいずれかに記載の画像処理装置。
【請求項１２】
前記通信アドレス登録手段は、前記通信手段において送受信先として接続可能な送受信先を登録し、識別名として記憶することを特徴とする請求項２ないし８のいずれかに記載の画像処理装置。
【請求項１３】
前記身体的情報入力手段は、指紋の模様から個人を認証する指紋認証に関する身体的情報を入力することを特徴とする請求項１ないし１２のいずれかに記載の画像処理装置。
【請求項１４】
前記身体的情報入力手段は、眼底の毛細血管の模様から個人を認証する網膜認証に関する身体的情報を入力することを特徴とする請求項１ないし１２のいずれかに記載の画像処理装置。
【請求項１５】
前記身体的情報入力手段は、黒目の中の模様から個人を認証する虹彩認証に関する身体的情報を入力することを特徴とする請求項１ないし１２のいずれかに記載の画像処理装置。
【請求項１６】
前記身体的情報入力手段は、顔の形から個人を認証する顔認証に関する身体的情報を入力することを特徴とする請求項１ないし１２のいずれかに記載の画像処理装置。
【請求項１７】
前記身体的情報入力手段は、音声の特徴、声紋から個人を認証する音声認証に関する身体的情報を入力することを特徴とする請求項１ないし１２のいずれかに記載の画像処理装置。
【請求項１８】
前記身体的情報入力手段は、手の大きさや形から個人を認証する手形認証若しくは掌紋認証に関する身体的情報を入力することを特徴とする請求項１ないし１２のいずれかに記載の画像処理装置。
【請求項１９】
前記身体的情報入力手段は、文字の書き方、筆圧から個人を認証する筆跡認証に関する身体的情報を入力することを特徴とする請求項１ないし１２のいずれかに記載の画像処理装置。
【請求項２０】
前記モード登録手段は、前記画像処理手段とは別体に設けたことを特徴とする請求項１ないし１９のいずれかに記載の画像処理装置。
【請求項２１】
前記モード登録手段は、ＬＡＮ、インターネット、ホストコンピュータ、イメージサーバを含むネットワークに接続された外部記憶装置であることを特徴とする請求項１ないし２０のいずれかに記載の画像処理装置。
【請求項２２】
前記通信アドレス実行手段は、前記身体的情報入力手段により入力された身体的情報を、前記通信アドレス登録手段に登録されたアドレス関連情報と照合し、その照合結果に応じて前記通信アドレスに登録されている送受信先への送受信を実行することを特徴とする請求項２ないし２１のいずれかに記載の画像処理装置。
【請求項２３】
前記モード登録手段は、登録時に予め登録されている管理者の照合を行い、管理者であると認証された場合にのみ登録することを特徴とする請求項１ないし２２のいずれかに記載の画像処理装置。
【請求項２４】
前記モード登録手段は、既に登録された身体的情報の特徴データであると判断した場合には、上書き若しくは他の特徴データで行うことを特徴とする請求項１ないし２２のいずれかに記載の画像処理装置。
【請求項２５】
前記モード登録手段は、既に登録された身体的情報の特徴データであると判断した場合には、管理者の認証を受けずに設定を登録することを特徴とする請求項１ないし２２のいずれかに記載の画像処理装置。
【請求項２６】
管理者の認証を受けずに設定を登録した場合には、該設定内容、日時、身体的な特徴データを含む情報を記憶手段に記憶することを特徴とする請求項２５記載の画像処理装置。
【請求項２７】
管理者の認証を受けずに設定を登録した場合には、該設定内容、日時、身体的な特徴データを含む情報をネットワーク接続された少なくとも外部記憶装置、ホストコンピュータ、イメージサーバに記憶することを特徴とする請求項２５記載の画像処理装置。
【請求項２８】
管理者の認証を受けずに設定を登録した場合には、該設定できる画像処理の機能を限定、すなわち前記操作手段上で操作できる内容を限定することを特徴とする請求項２５記載の画像処理装置。
【請求項２９】
管理者の認証を受けずに送受信先を登録した場合には、該登録できる送受信先を限定することを特徴とする請求項２５記載の画像処理装置。
【請求項３０】
前記処理モード登録手段は、ネットワーク接続された少なくとも外部記憶装置、ホストコンピュータ、イメージサーバに記憶することを特徴とする請求項１ないし２９のいずれかに記載の画像処理装置。
【請求項３１】
前記照合手段は、ネットワーク接続された少なくとも外部記憶装置、ホストコンピュータ、イメージサーバに記憶された実行内容を参照し、照合することを特徴とする請求項１ないし２９のいずれかに記載の画像処理装置。
【請求項３２】
前記通信アドレス実行手段は、ネットワーク接続された少なくとも外部記憶装置、ホストコンピュータ、イメージサーバに記憶された送受信先内容を参照し、該内容に従って送受信を実行することを特徴とする請求項２ないし２９のいずれかに記載の画像処理装置。
【請求項３３】
前記モード選択手段による命令時にも身体的特徴と関連づけ、登録、実行許可を行うことを特徴とする請求項１ないし３２のいずれかに記載の画像処理装置。
【請求項３４】
前記身体的情報入力手段は、少なくとも、ＬＡＮ、インターネット、ホストコンピュータ、イメージサーバのネットワークに接続された入力手段であることを特徴とする請求項１ないし３３のいずれかに記載の画像処理装置。
【請求項３５】
身体的情報を認証した後に、所定のコピーモードに従って画像処理を実行する画像処理方法であって、
画像データを入力する画像入力工程と、
前記入力された画像データを記憶手段に記憶する工程と、
前記身体的情報の照合前のコピーモードを設定し登録するモード登録工程であって、該モード登録工程は、
前記所定のコピーモードを選択するモード選択工程と、
前記身体的情報を読み取って特徴データを抽出する抽出工程と、
前記抽出された特徴データと、前記読取った身体的情報と、前記設定されたコピーモードに関するコピーモード設定情報とを１つのデータパケット情報として登録し、該データパケット情報をメモリに記憶するデータ登録工程と
を含み、
前記選択したコピーモードに従って画像処理を実行する際の、前記身体的情報を照合する身体的情報照合工程であって、該身体的情報照合工程は、
身体的情報を別途読取って特徴データを抽出し、該抽出した特徴データを、前記メモリから読み出された前記データパケット情報に登録された前記特徴データと照合する照合工程と、
前記照合した身体的情報が一致するとき、前記メモリから読み出された前記データパケット情報に登録された前記コピーモード設定情報が登録時の内容と一致しているか否かを認証する登録内容認証工程と
を含み、
前記コピーモード設定情報が登録時の内容と一致していると認証したとき、該登録時のコピーモードに従って、前記記憶手段に記憶されている前記画像データの画像処理を実行する画像処理工程と
を具えたことを特徴とする画像処理方法。
【請求項３６】
前記画像データを他の接続機器より送受信する通信工程と、
前記通信に用いられる通信アドレスを、前記照合された特徴データと関連付けしてアドレス関連情報として登録する通信アドレス登録工程と、
前記登録されたアドレス関連情報に含まれる通信アドレスにより通信処理を実行する際、該通信アドレスに関連付けて登録されている前記特徴データを用いて、通信処理を実行する管理者の照合を行う通信アドレス実行工程と、
前記照合された管理者の指定する通信アドレスに基づいて、前記画像データの送受信を行う通信制御工程と
をさらに具えたことを特徴とする請求項３５記載の画像処理方法。
【請求項３７】
前記画像入力工程は、原稿を光学的にスキャンして画像データを得るイメージスキャナを用いて身体的情報を入力することを特徴とする請求項３５又は３６記載の画像処理方法。
【請求項３８】
前記画像入力工程は、ページ記述言語で記述された画像データを得る画像コントローラ若しくはイメージサーバを用いて身体的情報を入力することを特徴とする請求項３５又は３６記載の画像処理方法。
【請求項３９】
前記画像処理工程は、前記画像入力工程により入力された画像信号に対して色処理、解像度変換、ＭＴＦ補正などの所定の画像処理を実行するために、入力画像信号を電気的に処理することを特徴とする請求項３５ないし３８のいずれかに記載の画像処理方法。
【請求項４０】
前記画像処理工程は、前記画像入力工程により入力された画像信号に対して所定の画像処理を実行し、かつ、ＬＡＮ、インターネット、ファクシミリ、無線などの通信手段のいずれか１つ以上を含むネットワークにより受信した画像に対して所定の画像処理を実行することを特徴とする請求項３５ないし３９のいずれかに記載の画像処理方法。
【請求項４１】
前記画像処理工程は、所定の画像処理を実行した後、該画像処理された画像を出力し、かつ、ＬＡＮ、インターネット、ファクシミリ、無線などの通信手段のいずれか１つ以上を含むネットワークにより送信することを特徴とする請求項３５ないし４０のいずれかに記載の画像処理方法。
【請求項４２】
前記モード登録工程は、前記モード選択工程において選択した画像処理を実行するための複数の処理モードの内容を、一連の画像処理項目として連続して実行できるように登録することを特徴とする請求項３５ないし４１のいずれかに記載の画像処理方法。
【請求項４３】
前記通信工程は、画像データ、テキストデータを含むデジタルデータを、ＬＡＮ、インターネット、ファクシミリ、無線などの通信手段のいずれか１つ以上を含むネットワークを介して他の接続機器との間で通信することを特徴とする請求項３６ないし４２のいずれかに記載の画像処理方法。
【請求項４４】
前記通信アドレス登録工程は、前記通信手段において送受信先として接続可能な送受信先を登録し、ネットワーク上のアドレスとして記憶することを特徴とする請求項３６ないし４２のいずれかに記載の画像処理方法。
【請求項４５】
前記通信アドレス登録工程は、前記通信手段において送受信先として接続可能な送受信先を登録し、ファクシミリの電話番号として記憶することを特徴とする請求項３６ないし４２のいずれかに記載の画像処理方法。
【請求項４６】
前記通信アドレス登録工程は、前記通信工程において送受信先として接続可能な送受信先を登録し、識別名として記憶することを特徴とする請求項３６ないし４２のいずれかに記載の画像処理方法。
【請求項４７】
前記身体的情報入力工程は、指紋の模様から個人を認証する指紋認証に関する身体的情報を入力することを特徴とする請求項３５ないし４６のいずれかに記載の画像処理方法。
【請求項４８】
前記身体的情報入力工程は、眼底の毛細血管の模様から個人を認証する網膜認証に関する身体的情報を入力することを特徴とする請求項３５ないし４６のいずれかに記載の画像処理方法。
【請求項４９】
前記身体的情報入力工程は、黒目の中の模様から個人を認証する虹彩認証に関する身体的情報を入力することを特徴とする請求項３５ないし４６のいずれかに記載の画像処理方法。
【請求項５０】
前記身体的情報入力工程は、顔の形から個人を認証する顔認証に関する身体的情報を入力することを特徴とする請求項３５ないし４６のいずれかに記載の画像処理方法。
【請求項５１】
前記身体的情報入力工程は、音声の特徴、声紋から個人を認証する音声認証に関する身体的情報を入力することを特徴とする請求項３５ないし４６のいずれかに記載の画像処理方法。
【請求項５２】
前記身体的情報入力工程は、手の大きさや形から個人を認証する手形認証若しくは掌紋認証に関する身体的情報を入力することを特徴とする請求項３５ないし４６のいずれかに記載の画像処理方法。
【請求項５３】
前記身体的情報入力工程は、文字の書き方、筆圧から個人を認証する筆跡認証に関する身体的情報を入力することを特徴とする請求項３５ないし４６のいずれかに記載の画像処理方法。
【請求項５４】
前記モード登録工程と、前記画像処理工程とは、別体に設けられた筐体において処理することを特徴とする請求項３５ないし５３のいずれかに記載の画像処理方法。
【請求項５５】
前記モード登録工程は、ＬＡＮ、インターネット、ホストコンピュータ、イメージサーバを含むネットワークに接続された外部記憶装置において登録する処理を行うことを特徴とする請求項３５ないし５４のいずれかに記載の画像処理方法。
【請求項５６】
前記通信アドレス実行工程は、前記身体的情報入力工程において入力した身体的情報を、前記通信アドレス登録工程において登録したアドレス関連情報と照合し、その照合結果に応じて前記通信アドレスに登録されている送受信先への送受信を実行することを特徴とする請求項３６ないし５５のいずれかに記載の画像処理装置。
【請求項５７】
前記モード登録工程は、登録時に予め登録されている管理者の照合を行い、管理者であると認証された場合にのみ登録することを特徴とする請求項３５ないし５６のいずれかに記載の画像処理方法。
【請求項５８】
前記モード登録工程は、既に登録された身体的情報の特徴データであると判断した場合には、上書き若しくは他の特徴データで行うことを特徴とする請求項３５ないし５６のいずれかに記載の画像処理方法。
【請求項５９】
前記モード登録工程は、既に登録された身体的情報の特徴データであると判断した場合には、管理者の認証を受けずに設定を登録することを特徴とする請求項３５ないし５６のいずれかに記載の画像処理方法。
【請求項６０】
管理者の認証を受けずに設定を登録した場合には、該設定内容、日時、身体的な特徴データを含む情報を記憶手段に記憶することを特徴とする請求項５９記載の画像処理方法。
【請求項６１】
管理者の認証を受けずに設定を登録した場合には、該設定内容、日時、身体的な特徴データを含む情報をネットワーク接続された少なくとも外部記憶装置、ホストコンピュータ、イメージサーバに記憶することを特徴とする請求項５９記載の画像処理方法。
【請求項６２】
管理者の認証を受けずに設定を登録した場合には、該設定できる画像処理の機能を限定、すなわち前記操作手段上で操作できる内容を限定することを特徴とする請求項５９記載の画像処理方法。
【請求項６３】
管理者の認証を受けずに送受信先を登録した場合には、該登録できる送受信先を限定することを特徴とする請求項５９記載の画像処理方法。
【請求項６４】
前記モード登録工程は、ネットワーク接続された少なくとも外部記憶装置、ホストコンピュータ、イメージサーバに記憶することを特徴とする請求項３５ないし６３のいずれかに記載の画像処理方法。
【請求項６５】
前記照合工程は、ネットワーク接続された少なくとも外部記憶装置、ホストコンピュータ、イメージサーバに記憶された実行内容を参照し、照合することを特徴とする請求項３５ないし６３のいずれかに記載の画像処理方法。
【請求項６６】
前記通信アドレス実行工程は、ネットワーク接続された少なくとも外部記憶装置、ホストコンピュータ、イメージサーバに記憶された送受信先内容を参照し、該内容に従って送受信を実行することを特徴とする請求項３６ないし６３のいずれかに記載の画像処理方法。
【請求項６７】
前記モード選択工程による命令時において身体的特徴と関連づけ、登録、実行許可を行うことを特徴とする請求項３５ないし６６のいずれかに記載の画像処理方法。
【請求項６８】
前記身体的情報入力工程は、少なくとも、ＬＡＮ、インターネット、ホストコンピュータ、イメージサーバのネットワークを介して入力することを特徴とする請求項３５ないし６７のいずれかに記載の画像処理方法。
【請求項６９】
コンピュータによって、身体的情報を認証した後に、所定のコピーモードに従って画像処理を実行するためのプログラムを記録した媒体であって、
該制御プログラムはコンピュータに、
画像データを入力させ、
前記入力させた画像データを記憶手段に記憶させ、
前記身体的情報の照合前のコピーモードを設定させて登録させる場合において、
前記所定のコピーモードを選択させ、
前記身体的情報を読み取らせて特徴データを抽出させ、
前記抽出させた特徴データと、前記読取らせた身体的情報と、前記設定させたコピーモードに関するコピーモード設定情報とを１つのデータパケット情報として登録させ、該データパケット情報をメモリに記憶させ、
前記選択したコピーモードに従って画像処理を実行させる際の、前記身体的情報を照合する場合において、
身体的情報を別途読取らせて特徴データを抽出させ、該抽出させた特徴データを、前記メモリから読み出させた前記データパケット情報に登録させた前記特徴データと照合させ、
前記照合させた身体的情報が一致するとき、前記メモリから読み出させた前記データパケット情報に登録させた前記コピーモード設定情報が登録時の内容と一致しているか否かを認証させ、
前記コピーモード設定情報が登録時の内容と一致していると認証させたとき、該登録時のコピーモードに従って、前記記憶手段に記憶させている前記画像データの画像処理を実行させることを特徴とする画像処理制御プログラムを記録した媒体。
【発明の詳細な説明】
【０００１】
【発明の属する技術分野】
本発明は、画像処理装置および画像処理方法に関し、特に、原稿画像をデジタル画像信号として処理を行うデジタル画像入出力装置、および、画像処理の制御方法に関する。
【０００２】
【従来の技術】
（第１の従来例）
まず、第１の従来例を、図１８に基づいて説明する。
【０００３】
従来、画像の入出力を行うシステムとしては、図１８に示すような、コピー機能，プリンタ機能，さらにはファクシミリ機能等を有する複合画像処理を実行することが可能な画像入出力処理装置、いわゆるマルチファンクションデジタル複写機１５００のようなものが知られている。
【０００４】
このマルチファンクションデジタル複写機１５００は、紙などに記録されている原稿画像を読み取るスキャナー１５２０と、読み取った画像、或いはホストコンピュータ１６００から送られてくる画像を紙などのメディアに出力するプリンタ１５３０と、原稿画像を遠隔地のファックス送受信機へ送信したり、受信するファクシミリ送受信装置１５４０と、さらにこれらのスキャナー１５２０、プリンタ１５３０、ファクシミリ１５４０の動作を制御したり、或いは種々の画像処理を施すデバイスコントローラ１５５０と、機器の操作を使用者に提供する操作部１５１０と、画像データや処理プログラムを一時的或いは恒久的に記憶するメモリ１５６０と、ハードディスク１５７０とを備えている。
【０００５】
このようなマルチファンクションデジタル複写機１５００では、単に原稿画像入出力、画像送受信を行うということだけでなく、原稿画像に種々の画像処理を施して複写、送信することもできる。
【０００６】
例えば、原稿の白黒を反転させるネガポジ反転処理、原稿の一部のみを複写するトリミング処理、原稿を任意の倍率で拡大／縮小を行うズーム機能、複数の原稿を縮小して一枚の出力用紙に上に合成する縮小レイアウト処理、カラー機の場合には、色味の補正を行うカラーバランス調整、濃度調整などといった多種多様な処理を行うことが可能である。
【０００７】
また、原稿の複写以外にスキャナ１５２０で読み込んだ画像データをＬＡＮ（ネットワーク）１５８０経由でホストコンピュータ１６００に転送したり、逆に、ホストコンピュータ１６００上でワープロなどで作成した文書をプリンタ１５３０でプリント出力させたりすることもできる。
【０００８】
このようにマルチファンクションデジタル複写機１５００は、実行可能な処理機能が多岐に渡っているため、任意の処理機能を実行される際に操作部１５１０上での操作が複雑になってしまう。
【０００９】
そこで、マルチファンクションデジタル複写機１５００の操作部１５１０には、“モードメモリ機能”などが搭載されていることが多い。
【００１０】
モードメモリ機能とは、操作部１５１０上のハードキー若しくはタッチパネルキーとして用意されているモードメモリキー１５１０ａ（例えば、ここでは９個のＭ１〜Ｍ９のキーがあるとする）に、コピー枚数、ズーム機能の倍率、カラーバランス調整のパラメータ、イメージクリエイトなどのコピーモードの組み合わせを、登録することができる。
【００１１】
一度登録したコピーモードは、マルチファンクションデジタル複写機１５００の電源を切っても消えることはなく、また、登録者が任意に書き換えることができる。
【００１２】
例えば、“イメージクリエイト→文字加工→色文字→カラーパレットＡ？５８”と、“倍率１１５％”、“用紙Ａ３”という設定で何度もコピー出力を行う場合、毎回毎回、こうした複数の設定を行うと、非常に手間がかかると同時に、処理設定を行うキーを何度も押したりするため、間違える可能性も大きい。
【００１３】
そこで、上述の設定処理を、モードメモリキー（例えば、Ｍ１）に予め登録させておくことで、登録後は、モードメモリキー（例えば、Ｍ１）を選択するだけで、上述の処理をワンタッチで実行させることができる。
【００１４】
（第２の従来例）
次に、第２の従来例を、図１８に基づいて説明する。
【００１５】
マルチファンクションデジタル複写機１５００では、ファクシミリ１５４０の送信先などを予め操作部１５１０上などに設置されるハードキー若しくはタッチパネルキーなどのキー１５１０ｂを用いて記憶、割り当てを行わせることが多い。
【００１６】
例えば、比較的頻繁に送信先として指定する送信先のファクシミリナンバーを任意のキー１５１０ｂに割り当てておくことによって、その送信先にファクシミリを送信する際には、そのキー１５１０ｂを押すだけでワンボタンでファクシミリ送信動作を行える。
【００１７】
一度登録した送信先は、マルチファンクションデジタル複写機１５００の電源を切っても消えることはなく、また登録者が任意に書き換えることができる。
【００１８】
また、マルチファンクションデジタル複写機１５００では、原稿の複写以外にスキャナー１５２０で読み込んだ画像データをＬＡＮ（ネットワーク）１５８０経由でネットワーク１５８０上のホストコンピュータ１６００に転送したり、逆に、ホストコンピュータ１６００上でワープロなどで作成した文書をプリンタ１５３０でプリント出力させたりすることもできる。
【００１９】
ネットワーク１５８０上のホストコンピュータ１６００などの送信先アドレスなどを予め操作部１５１０上などに設置されるハードキー若しくはタッチパネルキーなどのキー１５１０ｂを用いて記憶、割り当てを行わせることによって、その送信先に画像データやテキストデータなどの電子データを送信する際には、そのキー１５１０ｂを押すだけでワンボタンで送信動作を行える。
【００２０】
一度登録した送信先は、マルチファンクションデジタル複写機１５００の電源を切っても消えることはなく、また、登録者が任意に書き換えることができる。
【００２１】
【発明が解決しようとする課題】
（第１の従来例に対する課題）
しかしながら、上記第１の従来例においては、以下に示す問題点がある。
【００２２】
上述のようなマルチファンクションデジタル複写機１５００では、単に原稿画像を複写するコピー機能だけでなく、プリンタ機能、ファクシミリ機能などを持つため、実行可能な処理の種類、また、それを行うための操作方法が複雑化してしまうことは述べた。また、マルチファンクションデジタル複写機１５００は、その性格上、不特定多数の人に使用されることが多く、処理機能が多い上に、それを使用する人数も多いために、モードメモリキー１５１０ａも、倍々的に必要とされてしまう。
【００２３】
しかしながら、元々マルチファンクションデジタル複写機１５００では、様々な処理機能を行ったり、原稿画像に種々の画像処理を施したりするため、それを実現するための画像処理機能の複雑化も招き、それら実行プログラムなどを記憶する記憶装置、また、画像ハンドリングのために一時的に画像データを記憶するためにワークエリアメモリなどの記憶容量が増加してしまっているので、モードメモリキー１５１０ａを簡単に増やすことはできない。
【００２４】
また、限られた操作部上では、モードメモリキー１５１０ａの数は限られており、仮に複数のモードメモリキー１５１０ａを階層構造にして、登録できるようにしても、元々ワンタッチで処理機能が実行できるというモードメモリキー１５１０ａの利便性はなくなり、かえってユーザインターフェースの複雑化を招いてしまう。
【００２５】
（第２の従来例に対する課題）
また、しかしながら、上記第２の従来例においては、以下に示す問題点がある。
【００２６】
上述のようなマルチファンクションデジタル複写機１５００は、その性格上、不特定多数の人に使用されることが多いために、送信先を登録しておくキー１５１０ｂも、倍々的に必要とされてしまう。
【００２７】
しかしながら、マルチファンクションデジタル複写機１５００の限られた操作部上では、送信先登録キーの数は限られており、仮に複数の送信先登録キーを階層構造にして、登録できるようにしても、元々ワンタッチで処理機能が実行できるという送信先登録キーの利便性はなくなり、かえってユーザインターフェースの複雑化を招いてしまう。
【００２８】
そこで、上記第１の従来例の課題に対して、本発明の第１の目的は、マルチファンクションデジタル複写機において、操作部上のハードキー若しくはタッチパネルキーなどに登録していたモードメモリ機能を、個々のユーザ特有の情報である指紋に割り当てることによって、ユーザの利便性の高いモードメモリ機能を提供することにある。
【００２９】
そこで、上記第２の従来例の課題に対して、本発明の第２の目的は、本発明は、マルチファンクションデジタル複写機において、操作部上のハードキー若しくはタッチパネルキーなどに登録していた送信先登録機能を、個々のユーザ特有の情報である指紋に割り当てることによって、ユーザの利便性の高い送信先登録機能を提供することにある。
【００３０】
【課題を解決するための手段】
本願発明は、身体的情報を認証した後に、所定のコピーモードに従って画像処理を実行する画像処理装置であって、画像データを入力する画像入力手段と、前記入力された画像データを記憶する記憶手段と、前記身体的情報を入力する身体的情報入力手段と、前記身体的情報の照合前のコピーモードを設定し登録するモード登録手段であって、該モード登録手段は、前記所定のコピーモードを選択するモード選択手段と、前記身体的情報入力手段により入力された身体的情報から特徴データを抽出する抽出手段と、前記抽出された特徴データと、前記読取った身体的情報と、前記設定されたコピーモードに関するコピーモード設定情報とを１つのデータパケット情報として登録し、該データパケット情報をメモリに記憶するデータ登録手段とを含み、前記選択したコピーモードに従って画像処理を実行する際の、前記身体的情報を照合する身体的情報照合手段であって、該身体的情報照合手段は、前記身体的情報入力手段により別途入力された身体的情報から特徴データを抽出し、該抽出した特徴データを、前記メモリから読み出された前記データパケット情報に登録された前記特徴データと照合する照合手段と、前記照合した身体的情報が一致するとき、前記メモリから読み出された前記データパケット情報に登録された前記コピーモード設定情報が登録時の内容と一致しているか否かを認証する登録内容認証手段とを含み、前記コピーモード設定情報が登録時の内容と一致していると認証したとき、該登録時のコピーモードに従って、前記記憶手段に記憶されている前記画像データの画像処理を実行する画像処理手段とを具えたことを特徴とする。
【００３１】
ここで、前記画像データを他の接続機器より送受信する通信手段と、前記通信手段の通信アドレスを、前記照合手段によって照合された特徴データと関連付けしてアドレス関連情報として登録する通信アドレス登録手段と、前記登録されたアドレス関連情報に含まれる通信アドレスにより通信処理を実行する際、該通信アドレスに関連付けて登録されている前記特徴データを用いて、通信処理を実行する管理者の照合を行う通信アドレス実行手段と、前記通信アドレス実行手段によって照合された管理者の指定する通信アドレスに基づいて、前記画像データの送受信を行う通信制御手段をさらに具えてもよい。
【００３２】
前記画像入力手段は、原稿を光学的にスキャンして画像データを得るイメージスキャナとしてもよい。
【００３３】
前記画像入力手段は、ページ記述言語で記述された画像データを得る画像コントローラ若しくはイメージサーバとしてもよい。
【００３４】
前記画像処理手段は、前記画像入力手段により入力された画像信号に対して色処理、解像度変換、ＭＴＦ補正などの所定の画像処理を実行するために、入力画像信号を電気的に処理してもよい。
【００３５】
前記画像処理手段は、前記画像入力手段により入力された画像信号に対して所定の画像処理を実行し、かつ、ＬＡＮ、インターネット、ファクシミリ、無線などの通信手段のいずれか１つ以上を含むネットワークにより受信した画像に対して所定の画像処理を実行してもよい。
【００３６】
前記画像処理手段は、所定の画像処理を実行した後、該画像処理された画像を出力し、かつ、ＬＡＮ、インターネット、ファクシミリ、無線などの通信手段のいずれか１つ以上を含むネットワークにより送信してもよい。
【００３７】
前記処理モード登録手段は、前記モード選択手段において選択した画像処理を実行するための複数の処理モードの内容を、一連の画像処理項目として連続して実行できるように登録してもよい。
【００３８】
前記通信手段は、画像データ、テキストデータを含むデジタルデータを、ＬＡＮ、インターネット、ファクシミリ、無線などの通信手段のいずれか１つ以上を含むネットワークを介して他の接続機器との間で通信してもよい。
【００３９】
前記通信アドレス登録手段は、前記通信手段において送受信先として接続可能な送受信先を登録し、ネットワーク上のアドレスとして記憶してもよい。
【００４０】
前記通信アドレス登録手段は、前記通信手段において送受信先として接続可能な送受信先を登録し、ファクシミリの電話番号として記憶してもよい。
【００４１】
前記通信アドレス登録手段は、前記通信手段において送受信先として接続可能な送受信先を登録し、識別名として記憶してもよい。
【００４２】
前記身体的情報入力手段は、指紋の模様から個人を認証する指紋認証に関する身体的情報を入力してもよい。
【００４３】
前記身体的情報入力手段は、眼底の毛細血管の模様から個人を認証する網膜認証に関する身体的情報を入力してもよい。
【００４４】
前記身体的情報入力手段は、黒目の中の模様から個人を認証する虹彩認証に関する身体的情報を入力してもよい。
【００４５】
前記身体的情報入力手段は、顔の形から個人を認証する顔認証に関する身体的情報を入力してもよい。
【００４６】
前記身体的情報入力手段は、音声の特徴、声紋から個人を認証する音声認証に関する身体的情報を入力してもよい。
【００４７】
前記身体的情報入力手段は、手の大きさや形から個人を認証する手形認証若しくは掌紋認証に関する身体的情報を入力してもよい。
【００４８】
前記身体的情報入力手段は、文字の書き方、筆圧から個人を認証する筆跡認証に関する身体的情報を入力してもよい。
【００４９】
前記処理モード登録手段は、前記画像処理手段とは別体に設けてもよい。
【００５０】
前記処理モード登録手段は、ＬＡＮ、インターネット、ホストコンピュータ、イメージサーバを含むネットワークに接続された外部記憶装置でもよい。
【００５２】
前記通信アドレス実行手段は、前記身体的情報入力手段により入力された身体的情報を、前記通信アドレス登録手段に登録されたアドレス関連情報と照合し、その照合結果に応じて前記通信アドレスに登録されている送受信先への送受信を実行してもよい。
【００５３】
前記処理モード登録手段は、登録時に予め登録されている管理者の照合を行い、管理者であると認証された場合にのみ登録してもよい。
【００５４】
前記処理モード登録手段は、既に登録された身体的情報の特徴データであると判断した場合には、上書き若しくは他の特徴データで行ってもよい。
【００５５】
前記処理モード登録手段は、既に登録された身体的情報の特徴データであると判断した場合には、管理者の認証を受けずに設定を登録してもよい。
【００５６】
管理者の認証を受けずに設定を登録した場合には、該設定内容、日時、身体的な特徴データを含む情報を記憶手段に記憶してもよい。
【００５７】
管理者の認証を受けずに設定を登録した場合には、該設定内容、日時、身体的な特徴データを含む情報をネットワーク接続された少なくとも外部記憶装置、ホストコンピュータ、イメージサーバに記憶してもよい。
【００５８】
管理者の認証を受けずに設定を登録した場合には、該設定できる画像処理の機能を限定、すなわち前記操作手段上で操作できる内容を限定してもよい。
【００５９】
管理者の認証を受けずに送受信先を登録した場合には、該登録できる送受信先を限定してもよい。
【００６０】
前記処理モード登録手段は、ネットワーク接続された少なくとも外部記憶装置、ホストコンピュータ、イメージサーバに記憶してもよい。
【００６１】
前記処理モード実行手段は、ネットワーク接続された少なくとも外部記憶装置、ホストコンピュータ、イメージサーバに記憶された実行内容を参照し、実行してもよい。
【００６２】
前記通信アドレス実行手段は、ネットワーク接続された少なくとも外部記憶装置、ホストコンピュータ、イメージサーバに記憶された送受信先内容を参照し、該内容に従って送受信を実行してもよい。
【００６３】
前記モード選択手段による命令時にも身体的特徴と関連づけ、登録、実行許可を行ってもよい。
【００６４】
前記身体的情報入力手段は、少なくとも、ＬＡＮ、インターネット、ホストコンピュータ、イメージサーバのネットワークに接続された入力手段としてもよい。
【００６５】
本願発明は、身体的情報を認証した後に、所定のコピーモードに従って画像処理を実行する画像処理方法であって、画像データを入力する画像入力工程と、前記入力された画像データを記憶手段に記憶する工程と、前記身体的情報の照合前のコピーモードを設定し登録するモード登録工程であって、該モード登録工程は、前記所定のコピーモードを選択するモード選択工程と、前記身体的情報を読み取って特徴データを抽出する抽出工程と、前記抽出された特徴データと、前記読取った身体的情報と、前記設定されたコピーモードに関するコピーモード設定情報とを１つのデータパケット情報として登録し、該データパケット情報をメモリに記憶するデータ登録工程とを含み、前記選択したコピーモードに従って画像処理を実行する際の、前記身体的情報を照合する身体的情報照合工程であって、該身体的情報照合工程は、身体的情報を別途読取って特徴データを抽出し、該抽出した特徴データを、前記メモリから読み出された前記データパケット情報に登録された前記特徴データと照合する照合工程と、前記照合した身体的情報が一致するとき、前記メモリから読み出された前記データパケット情報に登録された前記コピーモード設定情報が登録時の内容と一致しているか否かを認証する登録内容認証工程とを含み、前記コピーモード設定情報が登録時の内容と一致していると認証したとき、該登録時のコピーモードに従って、前記記憶手段に記憶されている前記画像データの画像処理を実行する画像処理工程とを具えたことを特徴とする。
【００６６】
ここで、前記画像データを他の接続機器より送受信する通信工程と、前記通信に用いられる通信アドレスを、前記照合された特徴データと関連付けしてアドレス関連情報として登録する通信アドレス登録工程と、前記登録されたアドレス関連情報に含まれる通信アドレスにより通信処理を実行する際、該通信アドレスに関連付けて登録されている前記特徴データを用いて、通信処理を実行する管理者の照合を行う通信アドレス実行工程と、前記照合された管理者の指定する通信アドレスに基づいて、前記画像データの送受信を行う通信制御工程とをさらに具えてもよい。
【００６７】
本願発明は、コンピュータによって、身体的情報を認証した後に、所定のコピーモードに従って画像処理を実行するためのプログラムを記録した媒体であって、該制御プログラムはコンピュータに、画像データを入力させ、前記入力させた画像データを記憶手段に記憶させ、前記身体的情報の照合前のコピーモードを設定させて登録させる場合において、前記所定のコピーモードを選択させ、前記身体的情報を読み取らせて特徴データを抽出させ、前記抽出させた特徴データと、前記読取らせた身体的情報と、前記設定させたコピーモードに関するコピーモード設定情報とを１つのデータパケット情報として登録させ、該データパケット情報をメモリに記憶させ、前記選択したコピーモードに従って画像処理を実行させる際の、前記身体的情報を照合する場合において、身体的情報を別途読取らせて特徴データを抽出させ、該抽出させた特徴データを、前記メモリから読み出させた前記データパケット情報に登録させた前記特徴データと照合させ、前記照合させた身体的情報が一致するとき、前記メモリから読み出させた前記データパケット情報に登録させた前記コピーモード設定情報が登録時の内容と一致しているか否かを認証させ、前記コピーモード設定情報が登録時の内容と一致していると認証させたとき、該登録時のコピーモードに従って、前記記憶手段に記憶させている前記画像データの画像処理を実行させることを特徴とする。
【００６９】
【発明の実施の形態】
以下、図面を参照して、本発明の実施の形態を詳細に説明する。
【００７０】
［第１の例］
まず、本発明の第１の実施の形態を、図１〜図１０に基づいて説明する。
（画像処理装置）
図１は、本発明に係る画像入出力機能を有する画像処理装置としてのマルチファンクションデジタル複写機１００（ここでは、カラー機）の構成を示す。なお、本機の基本的なシステム構成は、前述した図１７のマルチファンクションデジタル複写機１５００と同様である。
【００７１】
図１におけるマルチファンクションデジタル複写機１５００は、原稿画像を読み取るイメージリーダ部１０１（画像入力部）と、イメージリーダ部１０１で読み取った画像データを再現するプリンタ部１０２（画像出力部）とに大きく分けられる。
【００７２】
イメージリーダ部１０１は、４００ｄｐｉ（ｄｏｔｓ／ｉｎｃｈ）の解像度で原稿を読み取り、デジタル信号処理を行う部分である。プリンタ部１０２は、イメージリーダ部１０１によって読み取られた原稿画像に対応した画像を４００ｄｐｉの解像度で指定用紙にフルカラープリント出力する部分である。
【００７３】
イメージリーダ部１０１において、原稿台ガラス（以下、プラテン）１０３上の原稿１０４は、ランプ１０５で照射され、ミラー１０６，１０７，１０８に導かれ、レンズ１０９によって、集光された光を電気信号に変換する３ラインセンサ（以下、ＣＣＤ）１１０上に像を結び、フルカラー情報レッド（Ｒ）、グリーン（Ｇ）、ブルー（Ｂ）成分として信号処理部１１１に送られる。
【００７４】
なお、１０５，１０６を固定しているキャリッジは速度ｖで、１０７，１０８は速度１／２ｖでラインセンサの電気的走査（主走査）方向に対して垂直方向に機械的に動くことによって、原稿全面を走査（副走査）する。
【００７５】
信号処理部１１１においては、読み取られた画像信号を電気的に処理し、マゼンタ（Ｍ），シアン（Ｃ），イエロー（Ｙ），ブラック（Ｂｋ）の各成分に分解し、プリンタ部１０２に送る。また、イメージリーダ部１０１における一回の原稿走査につき、Ｍ，Ｃ，Ｙ，Ｂｋのうちの１つの成分がプリンタ部１０２に送られ、計４回の原稿走査によって、一回のプリントアウトが完成する。
【００７６】
イメージリーダ部１０１より送られてくるＭ，Ｃ，Ｙ，Ｂｋの各画像信号は、レーザドライバ１１２に送られる。レーザドライバ１１２は、送られてきた画像信号に応じ、半導体レーザ１１３を変動駆動する。
【００７７】
レーザ光は、ポリゴンミラー１１４、ｆ−θレンズ１１５、ミラー１１６を介し、感光ドラム１１７上を走査する。１１８は回転現像器であり、マゼンタ現像部１１９、シアン現像器１２０、イエロー現像器１２１、ブラック現像部１２２より構成され、４つの現像部が交互に感光ドラム１１７に接し、感光ドラム１１７上に形成された潜像現像をトナーで現像する。１２３は転写ドラムであり、用紙カセット１２４又は１２５より供給される用紙をこの転写ドラム１２３に巻き付け、感光ドラム上に現像された像を用紙に転写する。
【００７８】
このようにして、Ｍ，Ｃ，Ｙ，Ｂｋの４色が順次転写された後に、用紙は定着ユニット１２６を通過して、トナーが用紙に定着された後に排紙される。
【００７９】
（イメージリーダ部）
図２は、図１のイメージリーダ部１０１内に設けられた信号処理部１１１の構成を示す。
【００８０】
画像処理部２０１は、イメージリーダ部１０１からの信号に対して種々の画像処理を行う。画像処理部２０１で種々の画像処理を施された画像信号は、プリンタ部１０２に送られ出力される。
【００８１】
また、ファクシミリ部２０７により、画像データやテキストデータなどの電子情報の送受信を行えることもできる。
【００８２】
イメージリーダ部１０１で読み込んだ画像データをＬＡＮ２０６経由でホストコンピュータ１６００に転送したり、逆に、ホストコンピュータ１６００上でワープロなどで作成した文書を取り込み画像処理部２０１で処理を施したり、プリンタ部１０２でプリント出力させたり、ファクシミリ部２０７によりファクシミリ送信をすることもできる。
【００８３】
２００は、後述する指紋登録および認証を行う指紋照合装置である。２０２は、本装置の制御を司るマイクロコンピュータ（以下、ＣＰＵ）である。２０３は、ＣＰＵ２０２を動作させるプログラムを格納したＲＯＭ、２０４は各種プログラムを実行する、また各処理部の係数を記憶するワークエリアとして用いるＲＡＭである。２０５は、これらの処理実行をオペレータが指示する際に使う操作部である。
【００８４】
（指紋認証部）
図３は、指紋照合装置２００の電気的構成を示す。
【００８５】
指紋照合装置２００には、ＣＰＵ３０１とＲＯＭ３０２、ＲＡＭ３０３とを含む指紋検索照合処理部３０４が設けられる。このＣＰＵ３０１とＲＯＭ３０２、ＲＡＭ３０３は、本例では、指紋検索照合処理部３０４内に設けているが、図２のＣＰＵ２０２、ＲＯＭ２０３、ＲＡＭ２０４で代用する構成としてもよい。
【００８６】
指紋検索照合処理部３０４は、予め登録されている指紋データパケットを検索して読取られた指紋データとの照合を行なうものである（指紋データパケットに関しては後述する。）ＲＯＭ３０２、ＲＡＭ３０３は、指紋データパケットを記憶する他、後述する図６（ａ），図６（ｂ）および図７に示すようなフローチャートに基づくＣＰＵ３０１の動作プログラムを格納したものである。
【００８７】
指紋検索照合処理部３０４には、指紋読取装置３０５と、制御信号送出部３０６と電源部３０７とが接続されている。指紋読取装置３０５は、複数指の指紋データを読取るためのものである。制御信号送出部３０６は、当該指紋照合装置２００による指紋照合の結果、読み取った指紋データが記憶している指紋データパケットの中の一つと一致したときには、その旨の信号を信号処理部１１１の各構成ブロックに送出するものである。電源部３０７は、上述の各電気的構成に必要な電源を供給するものであるが、指紋照合装置２００内に設けずに、マルチファンクションデジタル複写機１００の電源と共用しても構わない。
【００８８】
また、指紋検索照合処理部３０４には、次のようなものが接続されていてもよい。すなわち、操作部２０５以外に指紋照合装置２００固有の表示を必要とする場合には、表示装置３０８が接続される。
【００８９】
また、さらに大量の指紋データパケットを扱う場合には、伝送制御部３０９、外部記憶装置３１０が接続される。この伝送制御部３０９は、ＬＡＮ２０６によりネットワーク接続された記憶装置、ホストコンピュータ１６００、サーバ１６１０などにデータを転送する場合に使用する。外部記憶装置３１０は、指紋照合装置２００の中に設置されたり、指紋照合装置２００の外に接続されたり、ＬＡＮ２０６を介してネットワーク上に設置されたりする。
【００９０】
（指紋データパケット）
図４は、指紋照合装置２００で扱う指紋データパケット構成の１例を示す。
【００９１】
指紋データパケット４００は、ヘッダ部４０１と指紋照合用データエリア４０２とを含む。ヘッダ部４０１は、後で説明する特徴データ１および２を格納するものであり、指紋照合用データエリア４０２は、指紋データを格納するものである。
【００９２】
ここで、指紋データは、例えば、指紋画像イメージでもよいし、指紋画像から抽出する特徴点である端点（指紋の模様を作っている線のうち、途中で切れている部分）や分岐点（指紋の模様を作っている線のうち、途中で分岐している部分）の位置、方向や、ある特徴点と特徴点の間にある隆線（指紋の模様を作っている線）の数の情報を記憶させてもよい。
【００９３】
（指紋データの抽出方法）
図５は、図４に示した指紋データパケット４００のヘッダ部４０１に格納される特徴データ１および２の抽出方法を説明するためのものである。
【００９４】
指Ａは例えば人指し指であり、指Ｂは例えば中指である。指Ａ，Ｂを指紋読取装置３０５のプラテン（図示せず）に押し当てると、指紋画像ａ，ｂが得られる。
【００９５】
１）まず、読取った指紋画像ａ，ｂにより、指紋画像有無の境界条件を用い、指Ａと指Ｂの指紋データに分離する。たとえば、ｘ＞ｘ３の場合、指Ｂに関するデータであり、ｘ＜ｘ３の場合には、指Ａに関するデータである。
【００９６】
２）次に、指Ａおよび指Ｂ各々の指紋中心点の座標を求める。
【００９７】
３）次に、座標の原点を指Ａの中心点に移動する。
【００９８】
４）次に、指Ａと指Ｂの中心点間の距離を求める。
【００９９】
中心点間の距離Ｄは、下記の式（１）で与えられる。
【０１００】
【数１】
0003703377.tif 000002
【０１０１】
ここで、（ｘ０，ｙ０）は指Ａの指紋中心線であり、（ｘ１，ｙ１）は指Ｂの指紋中心点である。距離Ｄを特徴データ１とする。
【０１０２】
５）次に、各指の指紋画像の指先側の端部とｘ軸ないしｙ軸に平行な線との交点座標（ｘ０，ｙ２）および（ｘ１，ｙ３）を求め、下記の式（２）で与えられる比Ｒを求める。
【０１０３】
Ｒ ＝ ｙ３ ／ ｙ２      …（２）
この比Ｒを特徴データ２とする。特徴データ２は、距離の比であるため、指の押圧の仕方や、指の傾きの影響を受けにくい。
【０１０４】
（指紋照合装置の登録処理動作）
図６（ａ），図６（ｂ）は、指紋照合装置２００の登録処理動作を説明するフローチャートである。
【０１０５】
図６（ａ）および図６（ｂ）に示す例では、指紋照合装置２００には、予めシステム管理者の指紋データパケット４００が登録されていて、マルチファンクションデジタル複写機１００において、ある者がその指紋のデータ登録を行なう際には、必ずシステム管理者が自己の指紋照合を行ない、システム管理であることが確認されたとき、使用者などの指紋のデータ登録ができるようになっている。
【０１０６】
すなわち、図６（ａ）において、システム管理者が指紋読取装置３０５に所定の複数の指を置くと、ＣＰＵ３０１は、指が置かれたことを検知（ステップＳ７０１）し、複数指の指紋のデータを読取る（ステップＳ７０２）。
【０１０７】
続いて、ＣＰＵ３０１は、図５において説明したように、複数指紋間の特徴データ１，２を抽出（ステップＳ７０３）し、抽出した特徴データ１，２を用い、ＲＯＭ３０２、ＲＡＭ３０３或いは外部記憶装置３１０に予め登録されている指紋データパケット４００を検索（ステップＳ７０４）し、検索した指紋データパケット４００と読取られた指紋データとの照合（ステップＳ７０５）を行う。
【０１０８】
照合の結果、指紋データが一致するか否かを判定（ステップＳ７０６）し、指紋データが一致しない場合（ステップＳ７０７）には、照合不可のメッセージを表示装置３０８に表示し、一致する場合には、登録者レベルか否かを判別（ステップＳ７０８）する。
【０１０９】
登録者レベルは、使用者などが登録を行なうレベルである。登録者レベルでなければ（ステップＳ７０９）、登録者レベルではない旨のメッセージを表示装置３０８に表示し、登録者レベルであれば、登録モードに移行する（ステップＳ７１０）。
【０１１０】
登録モードでは、図６（ｂ）に示すように、使用者などが指紋読取装置３０５に所定の複数の指を置くと、ＣＰＵ３０１は指の置かれたことを検知（ステップＳ７１１）、複数指の指紋データを読取る（ステップＳ７１２）。
【０１１１】
続いて、ＣＰＵ３０１は複数指紋間の特徴データ１，２を抽出（ステップＳ７１３）し、指紋データパケット４００を作成するために、指紋データパケット４００のヘッダ部に当該特徴データ１，２を付加する（ステップＳ７１４）。
【０１１２】
続いて、ＣＰＵ３０１は指紋データパケット４００をＲＯＭ３０２、ＲＡＭ３０３又は外部記憶装置３１０に設けたデータベースに転送（ステップＳ７１５）し、格納する（ステップＳ７１６）。
【０１１３】
（指紋照合装置の指紋照合動作）
図７は、指紋照合装置２００の指紋照合動作を説明するフローチャートである。
【０１１４】
指紋照合を行う者が認証を受けるために、所定の複数指を指紋読取装置３０５に置く。すると、ＣＰＵ３０１は、指が指紋読取装置３０５に置かれたことを検知（ステップＳ８０１）し、複数指の指紋データを読取る（ステップＳ８０２）。
【０１１５】
続いて、ＣＰＵ３０１は、複数指紋間の特徴データ１，２を抽出（ステップＳ８０３）し、ＲＯＭ３０２、ＲＡＭ３０３又は外部記憶装置３１０から特徴データ１，２の一致するヘッダ部を持つ指紋データパケット４００を読出（ステップＳ８０４）し、読取られた指紋データとの照合を行なう（ステップＳ８０５）。
【０１１６】
照合の結果、指紋データが一致するか否かを判定（ステップＳ８０６）し、指紋データが一致しない場合（ステップＳ８０７）には、照合不可の旨のメッセージを表示装置３０８に表示するが、指紋データが一致する場合には、本人確認後の処理を行なう（ステップＳ８０８）。
【０１１７】
すなわち、制御信号送出部３０６から、その旨の信号を信号処理部１１１の各構成ブロックに送出するものである。
【０１１８】
（モードメモリ登録動作）
図８は、マルチファンクションデジタル複写機１００上でモードメモリ設定および登録を行う際の動作を説明するフローチャートである。
【０１１９】
コピーモードをモードメモリとして、指紋に登録させる者が、所望のコピーモードを選択（ステップＳ９０１）する。例えば、“イメージクリエイト→文字加工→色文字→カラーパレットＡ？５８”と、“倍率１１５％”、“用紙Ａ３”という設定で登録したい場合には、上述の設定内容を、操作部２０５上で一度設定する。
【０１２０】
次に、その設定を指紋に登録する動作に入るが、本例の指紋照合装置２００には、予めシステム管理者の指紋データパケット４００が登録されていて、マルチファンクションデジタル複写機１００において、ある者がその指紋のデータ登録を行なう際には、必ずシステム管理者が自己の指紋照合を行ない、システム管理であることが確認されたとき、使用者などの指紋のデータ登録ができるようになっているため、システム管理者の指紋照合を行う（ステップＳ９０２）。
【０１２１】
すなわち、図６（ａ）で説明したように、システム管理者が指紋読取装置３０５に所定の複数の指を置くと、ＣＰＵ３０１は、指が置かれたことを検知（ステップＳ７０１）し、複数指の指紋データを読取る（ステップＳ７０２）。
【０１２２】
続いて、ＣＰＵ３０１は、図５において説明したように、複数指紋間の特徴データ１，２を抽出（ステップＳ７０３）し、抽出した特徴データ１，２を用い、ＲＯＭ３０２、ＲＡＭ３０３或いは外部記憶装置３１０に予め登録されている指紋データパケット４００を検索（ステップＳ７０４）し、検索した指紋データパケット４００を読取られた指紋データとの照合（ステップＳ７０５）を行う。
【０１２３】
照合の結果、指紋データが一致するか否かを判定（ステップＳ７０６）し、指紋データが一致しない場合（ステップＳ７０７）には、照合不可のメッセージを表示装置３０８に表示し、一致する場合には、登録者レベルか否かを判別（ステップＳ７０８）する。
【０１２４】
登録者レベルは、使用者などが登録を行うレベルである。登録者レベルでなければ（ステップＳ７０９）、登録者レベルではない旨のメッセージを表示装置３０８に表示し、登録者レベルであれば、ここでは、ステップＳ９０３〜ステップＳ９０９の登録モードに移行する（ステップＳ７１０）。
【０１２５】
また、登録モードでは、図６（ｂ）で説明したように、使用者指紋の登録を行う（ステップＳ７１１〜ステップＳ７１６）。
【０１２６】
そして、図８において、モードメモリ設定内容を自分の所定の指、すなわち指紋に登録したい使用者が指紋読取装置３０５に所定の複数の指を置くと、ＣＰＵ３０１は指の置かれたことを検知（ステップＳ９０３）し、複数の指紋データを読取る（ステップＳ９０４）。
【０１２７】
続いて、ＣＰＵ３０１は、複数指紋間の特徴データ１，２を抽出（ステップＳ９０５）し、指紋データパケット４００を作成するために、指紋データパケット４００のヘッダ部に当該特徴データ１，２を付加する（ステップＳ９０６）。
【０１２８】
そして、予め設定したコピーモードの設定情報を指紋データパケット４００に付加する（ステップＳ９０７）。ここでは、コピーモードの設定情報を付加された指紋データパケット４００を拡張指紋データパケットと呼ぶ。
【０１２９】
続いて、ＣＰＵ３０１は、拡張指紋データパケットをＲＯＭ３０２、ＲＡＭ３０３又は外部記憶装置３１０若しくはネットワークに接続された外部記憶装置３１０に設けたデータベースに転送（ステップＳ９０８）し、格納する（ステップＳ９０９）。
【０１３０】
（拡張指紋データパケット）
図９は、拡張指紋データパケットの構成例を示す。
【０１３１】
拡張指紋データパケット１０００の、ヘッダ部４０１と指紋照合用データエリア４０２は、前述した図４の指紋データパケット４００と同様の情報であり、検索、登録、照合などの各種処理の際に、同じように扱われる。
【０１３２】
本例では、コピーモード設定情報データエリア１００１がさらに設けられている。このコピーモード設定情報データエリア１００１には、コピーモード設定情報が格納される。
【０１３３】
（モードメモリ実行時の指紋照合動作）
図１０は、マルチファンクションデジタル複写機１００上でモードメモリ設定内容を実行させる際の指紋照合動作を説明するフローチャートである。
【０１３４】
モードメモリとして、そのコピーモード設定の内容を、指紋登録を行った者が、そのコピーモード設定内容を実行させるために、指紋照合を行い、認証を受けるために、所定の複数指を指紋読取装置３０５に置く。すると、ＣＰＵ３０１は、指が指紋読取装置３０５に置かれたことを検知（ステップＳ１１０１）し、複数指の指紋データを読取る（ステップＳ１１０２）。
【０１３５】
続いて、ＣＰＵ３０１は、複数指紋間の特徴データ１，２を抽出（ステップＳ１１０３）し、ＲＯＭ３０２，ＲＡＭ３０３又は外部記憶装置３１０から特徴データ１，２の一致するヘッダ部を持つ拡張指紋データパケット１０００（図９参照）を読み出し（ステップＳ１１０４）、読取られた指紋データとの照合を行う（ステップＳ１１０５）。
【０１３６】
照合の結果、指紋データが一致するか否かを判定（ステップＳ１１０６）し、指紋データが一致しない場合（ステップＳ１１０７）には、照合不可の旨のメッセージを表示装置３０８に表示する。
【０１３７】
一方、指紋データが一致する場合には、拡張指紋データパケット１０００からコピーモード設定情報１００１ａを読み出し（ステップＳ１１０８）、本人確認後の処理内容を表示装置３０８に表示（ステップＳ１１０９）し、拡張指紋データパケット１０００内のコピーモード設定情報１００１ａに基づき、コピーモードを実行する（ステップＳ１１１０）。
【０１３８】
すなわち、制御信号送出部３０６から、コピーモード実行する旨の信号が信号処理部１１１の各構成ブロックに送出され、該当するコピーモードが実行される。
【０１３９】
上述したように、第１の例では、マルチファンクションデジタル複写機１００において、モードメモリ機能を、個々のユーザ特有の情報である指紋に割り当てることで、複雑な画像処理機能の設定でも、ワンタッチで実行を行うことを可能とし、ユーザの利便性の高いモードメモリ機能を提供することができる。
【０１４０】
［第２の例］
次に、本発明の第２の実施の形態を、図１１に基づいて説明する。なお、前述した第１の例と同一部分については、その説明を省略し、同一符号を付す。
【０１４１】
（モードメモリ実行時の指紋照合動作）
前述した第１の例においては、図１０に示したようなモードメモリ実行時の指紋照合動作について説明した。
【０１４２】
本例においては、図１１に示すように、モードメモリ実行時の指紋照合動作について説明する。
【０１４３】
図１１において、ステップＳ１１０１〜ステップＳ１１０９までの動作フローは、図１０と同等である。
【０１４４】
本人確認後の処理内容を表示装置３０８に表示（ステップＳ１１０９）した後、その処理内容が、その指紋登録したはずの内容と合っているか否かを、その指紋照合を行った者に対して確認するメッセージを表示装置３０８に表示（ステップＳ１２０１）する。
【０１４５】
処理内容が一致しない場合（ステップＳ１２０２）には、設定内容不可の旨のメッセージを表示装置３０８に表示するが、処理内容が一致する場合には、拡張指紋データパケット１０００からコピーモード設定情報を読み出し、拡張指紋データパケット１０００内のコピーモード設定情報に基づき、コピーモードを実行する（ステップＳ１１１０）という構成としてもよい。
【０１４６】
［第３の例］
次に、本発明の第３の実施の形態を、図８に基づいて説明する。なお、前述した第１の例と同一部分については、その説明を省略し、同一符号を付す。
【０１４７】
（モードメモリ登録動作）
前述した第１の例においては、図８に示したようなモードメモリ登録時の指紋登録動作フローを説明した。
【０１４８】
本例においては、以下に示すようなモードメモリ登録時の指紋登録動作フローを持つ構成を説明する。
【０１４９】
図８において、使用者指紋の登録を行うために、モードメモリ設定内容を自分の所定の指、すなわち指紋に登録したい使用者が指紋読取装置３０５に所定の複数の指を置き、ステップＳ９０３〜ステップＳ９０９の各処理フローを経て、登録を完了する。
【０１５０】
しかしながら、ステップＳ９０５の特徴データを抽出した際に、その特徴データを用いて指紋データパケット４００、および拡張指紋データパケット１０００を検索し、検索データと読み取りデータとを照合することで、既に拡張指紋データパケット１０００として登録済みの指紋であった場合には、既に登録済みとの警告メッセージを表示装置３０８に表示し、上書きするか、他の指でやり直すかを選択させ、上書きの場合には、そのまま登録を続け、他の指でやり直す場合には、再度登録フローをやり直すという構成としてもよい。
【０１５１】
［第４の例］
次に、本発明の第４の実施の形態を、図１２に基づいて説明する。なお、前述した第１の例と同一部分については、その説明を省略し、同一符号を付す。
【０１５２】
（モードメモリ登録動作）
前述した第１の例においては、図８に示したようなモードメモリ登録時の指紋登録動作フローを説明した。
【０１５３】
本例においては、第１の例で説明した図８に対して、より利便性を高めるため、図１２に示すように、モードメモリ登録時の指紋登録動作について説明する。
【０１５４】
図１２は、第１の例によるマルチファンクションデジタル複写機１００上でモードメモリ設定および登録を行う際の動作を示すものである。
【０１５５】
図８においては、所望のコピーモードを選択（ステップＳ９０１）した後、システム管理者の指紋照合を行った（ステップＳ９０２）。
【０１５６】
このため、第１の例では、図８に示すように、一般使用者が、ステップＳ９０１〜ステップＳ９０８間の指紋照合を受けた場合には、登録者レベルではないという照合不可のメッセージが表示され、その後、登録を行うことができない。
【０１５７】
本例では、図１２に示すように、システム管理者に限定したものではなく、一般使用者についても指を置き、指紋照合を行うことができるようにしたものである。
【０１５８】
すなわち、図１２において、システム管理者照合（ステップＳ９０１〜ステップＳ９０８）において、図８に示した通りシステム管理者が指紋照合を行い、正しいと判断されたば場合には、図８で説明した通りのフローを行うが、システム管理者照合（ステップＳ９０１〜ステップＳ９０８）において、一般使用者が指紋照合を行い、不適当と判断された場合においても、ステップＳ９０１〜ステップＳ９０６間、特にステップＳ９０４の指紋データ検索、ステップＳ９０５の指紋照合において、既に登録済みの指紋であると判断されていれば、そのまま登録可能とする。
【０１５９】
すなわち、ステップＳ９０１〜ステップＳ９０８間の検索照合で、既にその指紋の指紋データパケット４００若しくは拡張指紋データパケット１０００を得ているので、その指紋データパケット４００若しくは拡張指紋データパケット１０００に対して、ステップＳ９０１で予め設定したコピーモードの設定情報を指紋データパケット４０００若しくは拡張指紋データパケット１０００に付加する（ステップＳ９０７）。
【０１６０】
ここで、指紋データパケット４００として登録されていた場合には、ステップＳ９０７でコピーモード設定情報が付加されるが、拡張指紋データパケット１０００として登録されている場合には、既に登録済みの拡張指紋データパケット１０００に記憶されている旧コピーモード設定情報を表示装置３０８に表示（ステップＳ１３０１）し、書き換えても良いのか確認（ステップＳ１３０２）を行い、よい場合に、新しいコピーモード設定情報を書き換える。
【０１６１】
続いて、拡張指紋データをＲＯＭ３０２、ＲＡＭ３０３または外部記憶装置３１０に設けたデータベースに転送（ステップＳ９０８）し、格納する（ステップＳ９０９）という構成にすることで、既に登録済みの使用者は、システム管理者の照合をしなくても、モードメモリの指紋登録を行うことが可能になるので、より利便性の高いシステムの構築が可能になる。
【０１６２】
［第５の例］
次に、本発明の第５の実施の形態を、図１２に基づいて説明する。なお、前述した第１の例と同一部分については、その説明を省略し、同一符号を付す。
【０１６３】
（モードメモリ登録動作）
前述した第４の例においては、図１２に示したようなモードメモリ登録時の指紋照合動作について説明した。
【０１６４】
本例では、一般使用者がシステム管理者を通さずにモードメモリを指紋登録する際には、その登録した内容、日時、登録者の内容などを、ＲＯＭ３０２、ＲＡＭ３０３または外部記憶装置３１０に設けたデータベースに転送し、格納してもよいし、ＬＡＮ２０６を用いて、ネットワーク上のサーバなどに格納できる構成としてもよく、後にシステム管理者が、この内容を確認することができる構成としてもよい。
【０１６５】
［第６の例］
次に、本発明の第６の実施の形態を、図１２に基づいて説明する。なお、前述した第１の例と同一部分については、その説明を省略し、同一符号を付す。
【０１６６】
（モードメモリ登録動作）
前述した第４の例においては、図１２に示したようなモードメモリ登録時の指紋登録動作について説明した。
【０１６７】
本例では、一般使用者がシステム管理者を通さずにモードメモリを指紋登録する際には、その登録できるコピーモードの種類を限定する構成とした場合の例である。
【０１６８】
［第７の例］
次に、本発明の第７の実施の形態について説明する。なお、前述した第１の例と同一部分については、その説明を省略し、同一符号を付す。
【０１６９】
本例では、モードメモリとして登録、実行を行う際にのみ指紋認証を行うのではなく、所望の画像処理機能の実行時に、例えば、カラーバランス調整を行う際に、カラーバランスを実行させるキーを押す際に認証を行い、許可された場合のみにカラーバランス機能を使用することが可能になる構成としてもよい。
【０１７０】
［第８の例］
次に、本発明の第８の実施の形態を、図１３に基づいて説明する。なお、前述した第１の例と同一部分については、その説明を省略し、同一符号を付す。
【０１７１】
前述した第１の例においては、図３に示すような指紋照合装置２００の電気的構成を説明した。
【０１７２】
本例では、指紋照合装置２００は、信号処理部１１１に含まれる構成ではなく、ＬＡＮ２０６を介してネットワーク上のイメージサーバ、ホストコンピュータ内に含まれている構成とした場合の例である。
【０１７３】
図１３は、指紋照合装置２００をネットワーク上に設置させる構成の１例を示す。
【０１７４】
図１３において、マルチファンクション複写機ＭＦＰ１００はＬＡＮ２０６に接続されており、指紋読取装置３０５が接続されている。予め登録された指紋データパケット４００および、拡張指紋データパケット１０００は、外部記憶装置３１０に記憶されており、マルチファンクション複写機ＭＦＰ１００に接続されている指紋読取装置３０５若しくはネットワーク上に設置されている指紋読取装置３０５によって新規に登録される指紋データに関しても外部記憶装置３１０によって記憶される。
【０１７５】
また、予め登録されている指紋データパケットを検索して読取られた指紋データとの照合を行う指紋検索照合処理部３０４が設置されており、マルチファンクション複写機ＭＦＰ１００に接続されている指紋読取装置３０５若しくはネットワーク上に設置されている指紋読取装置３０５によって入力される指紋データを照合する際に、検索し照合を行い、照合結果をネットワーク上の所望の機器へ送信する。
【０１７６】
このような構成とすることで、マルチファンクション複写機ＭＦＰ１００に接続した指紋読取装置３０５からの入力だけでなく、ネットワーク上に接続された他の指紋読取装置３０５からの入力によってもマルチファンクション複写機ＭＦＰ１００上のモードメモリ設定の操作を行うことが可能となる。
【０１７７】
また、指紋データの管理をマルチファンクション複写機ＭＦＰ１００内とは切り離すことで、マルチファンクション複写機ＭＦＰ１００がダウンしている場合にも、他のネットワーク上のデバイスから登録および認証を行うことができる。
【０１７８】
その他、認証サーバ１４０１として、指紋検索照合処理部３０４と外部記憶装置３１０を同時にもつサーバとしてネットワーク上に存在し、指紋読取装置３０５からの指紋データを一括管理、認証を行う構成としても良いし、ホストコンピュータ１４０２に同様な機能を持たせる構成としてもよい。
【０１７９】
以上、第１の例〜第８の例について説明したが、本発明に関する指紋照合は、指紋だけに限ったものではなく、他の身体的特徴を用いた方式で行ってもよい。
【０１８０】
すなわち、指紋の他、眼底カメラなどを使用することによって網膜（眼底の毛細血管の模様）、虹彩（黒目の中の模様）から判別したり、ビデオカメラやカメラによる顔（顔の形）によって判別したり、小型マイクなどを設置して音声（音声の特徴、声紋）によって判別する。
【０１８１】
また、手形や掌紋（手の大きさや形）、筆跡（文字の書き方、筆圧）などの特徴、形、模様を利用して、個人を認証、照合してもよい。
【０１８２】
［第９の例］
次に、本発明の第９の実施の形態を、図１４〜図１６に基づいて説明する。なお、前述した第１の例と同一部分については、その説明を省略し、同一符号を付す。
【０１８３】
（指紋認証部）
前述した第１の例で説明した指紋照合装置２００（図３参照）において、指紋検索照合処理部３０４に加え、以下の構成要件を追加してもよい。
【０１８４】
すなわち、操作部２０５以外に指紋照合装置２００固有の表示を必要とする場合には、表示装置３０８を接続する。また、外部に指紋データパケットなどを伝送する場合には、伝送制御部３０９を接続する。さらに、例えば大量の指紋データパケットを扱う場合には、外部記憶装置３１０を接続する。
【０１８５】
また、これらの各機器を使用し、前述した図２に示すように、ＬＡＮ２０６によりネットワーク接続されたホストコンピュータ１６００、サーバ１６１０、記憶装置１６２０などに、データを転送することも可能である。
【０１８６】
（指紋照合を使用しない場合の画像送受信動作）
図１４は、前述した第１の例によるマルチファンクションデジタル複写機１００において、画像送受信を行う際の動作を説明するものである。
【０１８７】
マルチファンクション複写機ＭＦＰ１００は、ＬＡＮ２０６に接続されており、その他に、イメージサーバ９０１、ホストコンピュータ９０２、別のＭＦＰ９０３、プリンタ９０４、スキャナ９０５などの機器がネットワーク接続されている。また、電話回線などを通じて、ファクシミリ９０６が接続されている。
【０１８８】
そして、マルチファンクションデジタル複写機１００のイメージリーダ部１０１によって入力された原稿画像を、イメージサーバ９０１に送信する場合には、操作部２０５上で、イメージサーバ９０１のアドレスを入力する。
【０１８９】
例えば、“￥￥ｂｌｕｔｏ￥ｉｍａｇｅ￥ｔｅｍｐ”などと指定することで、入力した画像データを、ＤＰＦフォーマットの画像ファイルとして、指定されたアドレス、ここではイメージサーバ９０１内のｉｍａｇｅというフォルダ内のｔｅｍｐというフォルダ内に所望のファイル形式、例えばＪＰＥＧやＰＤＦ形式などで送信される。ホストコンピュータ９０２、別のＭＦＰ９０３、プリンタ９０４などに画像送信を行う際も、同様にアドレスを指定して送信を行う。
【０１９０】
同様にして、受信を行う際にも、アドレスを指定して画像データなどを受信することができる。
【０１９１】
また、ファクシミリ送受信の場合には、相手先電話番号などを“０３−１２３−４５６７”のように入力して、動作を実行させる。
【０１９２】
（送受信先登録動作）
図１５は、第１の例によるマルチファンクションデジタル複写機１００上で送受信先登録を行う際の動作を説明するフローチャートである。
【０１９３】
所望の送受信先を送受信先メモリとして、指紋に登録させる者が、所望の送受信先を選択若しくは入力する（ステップＳ１００１）。
【０１９４】
例えば、上述の“￥￥ｂｌｕｔｏ￥ｉｍａｇｅ￥ｔｅｍｐ”という送受信先の登録したい場合には、上述の送受信先内容を、操作部２０５上で一度選択若しくは入力する。
【０１９５】
前述した図２に示すように、操作部２０５上のアドレス表示部２０５ａでは、ネットワークに接続している通信先の機器のアドレスを表示する。この際、アドレス表示部２０５ａに表示された機器の中から所望の機器を、選択、若しくは、その機器のアドレスを入力することによって、所望のアドレスの機器を決定できる。
【０１９６】
次に、その送受信先を指紋に登録する動作に入る。
【０１９７】
本例の指紋照合装置２００には、予めシステム管理者の指紋データパケット４００（図４参照）が登録されていて、マルチファンクションデジタル複写機１００において、ある者がその指紋のデータ登録を行なう際には、必ずシステム管理者が自己の指紋照合を行い、システム管理であることが確認されたとき、使用者などの指紋のデータ登録ができるようになっているため、システム管理者の指紋照合を行う（ステップＳ１００２）。
【０１９８】
すなわち、図６（ａ）で説明したように、システム管理者が指紋読取装置３０５に所定の複数の指を置くと、ＣＰＵ３０１は、指が置かれたことを検知（ステップＳ７０１）し、複数指の指紋データを読取る（ステップＳ７０２）。
【０１９９】
続いて、ＣＰＵ３０１は、図５において説明したように、複数指紋間の特徴データ１，２を抽出（ステップＳ７０３）し、抽出した特徴データ１，２を用い、ＲＯＭ２、ＲＡＭ３０３あるいは外部記憶装置３１０に予め登録されている指紋データパケット４００の検索（ステップＳ７０４）し、検索した指紋データパケット４００と読取られた指紋データとの照合（ステップＳ７０５）を行う。
【０２００】
照合の結果、指紋データが一致するか否かを判定（ステップＳ７０６）し、指紋データが一致しない場合（ステップＳ７０７）には、照合不可のメッセージを表示装置３０８に表示し、一致する場合には、登録者レベルか否かを判別（ステップＳ７０８）する。登録者レベルは、使用者などが登録を行なうレベルである。登録者レベルでなけれは（ステップＳ７０９）、登録者レベルではない旨のメッセージを表示装置３０８に表示し、登録者レベルであれば、ここでは、ステップＳ１００３〜ステップＳ１００９の登録モードに移行する（ステップＳ７１０）。
【０２０１】
図１５において、登録モードでは、使用者指紋の登録を行う。送受信先内容を自分の所定の指、すなわち指紋に登録したい使用者が指紋読取装置３０５に所定の複数の指を置くと、ＣＰＵ３０１は指の置かれたことを検知（ステップＳ１００３）し、複数指の指紋データを読取る（ステップＳ１００４）。
【０２０２】
続いて、ＣＰＵ３０１は、複数指紋間の特徴データ１，２を抽出（ステップＳ１００５）し、指紋データパケット４００を作成するために、指紋データパケット４００のヘッダ部に当該特徴データ１，２を付加する（ステップＳ１００６）。
【０２０３】
そして、予め設定した送受信先情報を指紋データパケット４００に付加する（ステップＳ１００７）。ここでは、送受信先情報を付加された指紋データパケット４００を拡張指紋データパケットと呼ぶ。
【０２０４】
続いて、ＣＰＵ３０１は拡張指紋データパケットをＲＯＭ３０２、ＲＡＭ３０３または外部記憶装置３１０に設けたデータベースに転送（ステップＳ１００８）し、格納する（ステップＳ１００９）。
【０２０５】
（拡張指紋データパケット）
図１６は、拡張指紋データパケット１１００の構成例を示す。
【０２０６】
拡張指紋データパケット１１００の、ヘッダ部４０１と指紋照合用データエリア４０２は、前述した図４の指紋データパケット４００と同様の情報であり、検索、登録、照合などの各種処理の際に、同じように扱われる。
【０２０７】
本例では、前述した図９のコピーモード設定情報データエリア１００１に代わって、送受信先情報データエリア１１０１が新たに設けられている。この送受信先情報データエリア１１０１には、送受信先情報が格納される。
【０２０８】
（送受信実行時の指紋照合動作）
マルチファンクションデジタル複写機１００上で送受信を実行させる際の指紋照合動作を、前述した図１０のフローチャートを用いて説明する。
【０２０９】
送受信先情報として、その送受信先の内容を指紋登録を行った者が、その送受信先へ送信、若しくは、送受信元から受信を行う際に、指紋照合を行い、認証を受けるために、所定の複数指を指紋読取装置３０５に置く。すると、ＣＰＵ３０１は、指が指紋読取装置３０５に置かれたことを検知（ステップＳ１１０１）し、複数指の指紋データを読取る（ステップＳ１１０２）。
【０２１０】
続いて、ＣＰＵ３０１は、複数指紋間の特徴データ１，２を抽出（ステップＳ１１０３）し、ＲＯＭ３０２、ＲＡＭ３０３又は外部記憶装置３１０から特徴データ１，２の一致するヘッダ部を持つ拡張指紋データパケット１１００（図１６参照）を読み出し（ステップＳ１１０４）、読取られた指紋データとの照合を行う（ステップＳ１１０５）。
【０２１１】
照合の結果、指紋データが一致するか否かを判定（ステップＳ１１０６）し、指紋データが一致しない場合（ステップＳ１１０７）には、照合不可の旨のメッセージを表示装置３０８に表示する。
【０２１２】
一方、指紋データが一致する場合には、拡張指紋データパケット１１００から送受信先情報１１０１を読み出し（ステップＳ１１０８）、本人確認後の処理内容すなわち送受信先を表示装置３０８に表示（ステップＳ１１０９）し、拡張指紋データパケット１１００内の送受信先情報１１０１に基づき、送受信を実行する（ステップＳ１１１０）。
【０２１３】
すなわち、送信を行う際には、指定された送受信先への送信を実行する旨の信号が信号処理部１１１の各構成ブロックに送出され、受信の場合には、受信を実行する旨の信号が信号処理部１１１の各構成ブロックに送出され、該当する動作が実行される。
【０２１４】
上述したように、第９の例では、マルチファンクションデジタル複写機において、送受信先を、個々のユーザ特有の情報である指紋に割り当てることで、ネットワーク、電話線などを介して、ネットワークアドレス設定、電話番号などの送受信先をワンタッチで選択することを可能とし、ユーザの利便性の高い画像送受信機能を提供することができる。
【０２１５】
［第１０の例］
次に、本発明の第１０の実施の形態を、図１１に基づいて説明する。なお、前述した第９の例と同一部分については、その説明を省略し、同一符号を付す。
【０２１６】
（送受信実行時の指紋照合動作）
前述した第９の例においては、図１０に示したような送受信実行時の指紋照合動作フローを説明した。
【０２１７】
本例においては、図１１に示すような送受信実行時の指紋照合動作について説明する。
【０２１８】
図１１のステップＳ１１０１〜１１０９までの動作は、前述した図１１のフローチャートと同等である。
【０２１９】
本人確認後の処理内容を表示装置３０８に表示（ステップＳ１１０９）した後、その処理内容が、その指紋登録したはずの内容と合っているか否かを、その指紋照合を行った者に対して確認するメッセージを表示装置３０８に表示（ステップＳ１２０１）する。
【０２２０】
処理内容が一致しない場合（ステップＳ１２０２）には、設定内容不可の旨のメッセージを表示装置３０８に表示するが、処理内容が一致する場合には、拡張指紋データパケット１１００から送受信先情報を読み出し、拡張指紋データパケット１１００内の送受信先情報に基づき、送受信を実行する（ステップＳ１１１０）という構成としてもよい。
【０２２１】
［第１１の例］
次に、本発明の第１１の実施の形態を、図１５に基づいて説明する。なお、前述した第９の例と同一部分については、その説明を省略し、同一符号を付す。
【０２２２】
（送受信先登録動作）
前述した第９の例においては、図１５に示したような送受信先登録時の指紋登録動作について説明した。
【０２２３】
本例においては、以下に示すような送受信先登録時の指紋登録動作について説明する。
【０２２４】
図１５において、使用者指紋の登録を行うために、送受信先内容を自分の所定の指、すなわち指紋に登録したい使用者が指紋読取装置３０５に所定の複数の指を置き、ステップＳ１００３〜ステップＳ１００９の各処理を経て、登録を完了する。
【０２２５】
しかしながら、ステップＳ１００５の特徴データを抽出した際に、その特徴データを用いて指紋データパケット４００、および拡張指紋データパケット１１００を検索し、検索データと読み取りデータとを照合することによって、既に拡張指紋データパケット１１００として登録済みの指紋であった場合には、既に登録済みとの警告メッセージを表示装置３０８に表示し、上書きするか、他の指でやり直すかを選択させる。
【０２２６】
上書きの場合には、そのまま登録を続け、他の指でやり直す場合には、再度登録フローをやり直すという構成としてもよい。
【０２２７】
［第１２の例］
次に、本発明の第１２の実施の形態を、図１７に基づいて説明する。なお、前述した第９の例と同一部分については、その説明を省略し、同一符号を付す。
【０２２８】
（送受信先登録動作）
前述した第９の例においては、図１５に示したような送受信先登録時の指紋登録動作について説明した。
【０２２９】
本例においては、第１の例で説明した図１４に対して、より利便性を高めるため、図１７に示すような送受信先登録時の指紋登録動作について説明する。
【０２３０】
図１７は、第１の例によるマルチファンクションデジタル複写機１００上で送受信先登録を行う際の動作を説明するフローチャートである。
【０２３１】
前述した図１５においては、所望の送受信先を選択（ステップＳ１００１）若しくは入力した後、システム管理者の指紋照合を行う（ステップＳ１００２）が、このため、第１の例では、一般使用者が、図６のステップＳ７０１〜ステップＳ７０８間の指紋照合を受けた場合には、登録者レベルではないという照合不可のメッセージが表示され、その後、登録を行うことができない。
【０２３２】
本例では、図１７に示すように、システム管理者だけでなく、一般使用者が指を置き、指紋照合を行うことができるようにした場合の例である。
【０２３３】
図１７において、システム管理者照合（ステップＳ７０１〜ステップＳ７０８）において、図１５に示した通りシステム管理者が指紋照合を行い、正しいと判断された場合には、図１５で説明した通りのフローを行うが、システム管理者照合（ステップＳ７０１〜７０８）において、一般使用者が指紋照合を行い、不適当と判断された場合においても、ステップＳ７０１〜ステップＳ７０６間、特にステップＳ７０４の指紋データ検索、ステップＳ７０５の指紋照合において、既に登録済みの指紋であると判断されていれば、そのまま登録可能とする構成を持つ。
【０２３４】
すなわち、ステップＳ７０１〜ステップＳ７０８間の検索照合で、既にその指紋の指紋データパケット４００若しくは拡張指紋データパケット１１００を得ているので、その指紋データパケット４００若しくは拡張指紋データパケット１１００に対して、ステップＳ１００１で予め設定した送受信先情報を指紋データパケット４００若しくは拡張指紋データパケット１１００に付加する（ステップＳ１００７）。
【０２３５】
ここで、指紋データパケット４００として登録されていた場合には、ステップＳ１００７で送受信先情報が付加されるが、拡張指紋データパケット１１００として登録されている場合には、既に登録済みの拡張指紋データパケット１１００に記憶されている送受信先情報を表示装置３０８に表示（ステップＳ１４０１）し、書き換えてもよいのか確認（ステップＳ１４０２）を行い、よい場合に、新しいコピーモード設定情報を書き換える。
【０２３６】
続いて、拡張指紋データをＲＯＭ３０２、ＲＡＭ３０３または外部記憶装置３１０に設けたデータベースに転送（ステップＳ１００８）し、格納する（ステップＳ１００９）という構成にすることによって、既に登録済みの使用者は、システム管理者の照合をしなくても、送受信先情報の指紋登録を行うことが可能になるので、より利便性の高いシステムの構築が可能になる。
【０２３７】
［第１３の例］
次に、本発明の第１３の実施の形態を、図１７に基づいて説明する。なお、前述した第９の例と同一部分については、その説明を省略し、同一符号を付す。
【０２３８】
（送受信先登録動作）
前述した第１２の例においては、図１７に示したような送受信先登録時の指紋登録動作について説明した。
【０２３９】
本例では、一般使用者がシステム管理者を通さずに送受信先情報を指紋登録する際には、その登録した内容、日時、登録者の内容などを、ＲＯＭ３０２、ＲＡＭ３０３又は外部記憶装置３１０に設けたデータベースに転送し、格納してもよい。
【０２４０】
また、ＬＡＮ２０６を用いて、ネットワーク上のサーバなどに格納できる構成としてもよく、後にシステム管理者が、この内容を確認することができる構成としておいてもよい。
【０２４１】
［第１４の例］
次に、本発明の第１４の実施の形態を、図１７に基づいて説明する。なお、前述した第９の例と同一部分については、その説明を省略し、同一符号を付す。
【０２４２】
（送受信先登録動作）
前述した第１２の例においては、図１７に示したような送受信先登録時の指紋登録動作について説明した。
【０２４３】
本例では、一般使用者がシステム管理者を通さずに送受信先情報を指紋登録する際には、その登録できる送受信先の種類を限定する構成にしてもよい。
【０２４４】
［第１５の例］
次に、本発明の第１５の実施の形態を、図１３に基づいて説明する。なお、前述した第９の例と同一部分については、その説明を省略し、同一符号を付す。
【０２４５】
前述した第９の例においては、図３に示すような指紋照合装置２００の電気的構成を説明した。
【０２４６】
本例では、指紋照合装置２００は、信号処理部１１１に含まれる構成ではなく、ＬＡＮ２０６を介してネットワーク上のイメージサーバ１６１０、ホストコンピュータ１６００内に含まれている構成としてもよい。
【０２４７】
図１３は、指紋照合装置２００をネットワーク上に設置させる構成例を示す。
【０２４８】
マルチファンクション複写機ＭＦＰ１００はＬＡＮ２０６に接続されており、指紋読取装置３０５が接続されている。予め登録された指紋データパケット４００、および、拡張指紋データパケット１１００は、外部記憶装置３１０に記憶されており、マルチファンクション複写機ＭＦＰ１００に接続されている指紋読取装置３０５若しくはネットワーク上に設置されている指紋読取装置３０５によって新規に登録される指紋データに関しても外部記憶装置３１０によって記憶される。
【０２４９】
また、予め登録されている指紋データパケットを検索して読取られて指紋データとの照合を行う指紋検索照合処理部３０４が設置されており、マルチファンクション複写機ＭＦＰ１００に接続されている指紋読取装置３０５若しくはネットワーク上に設置されている指紋読取装置３０５によって入力される指紋データを照合する際に、検索し照合を行い、照合結果をネットワーク上の所望の機器へ送信する。
【０２５０】
このような構成とすることによって、マルチファンクション複写機ＭＦＰ１００に接続した指紋読取装置３０５からの入力だけでなく、ネットワーク上に接続された他の指紋読取装置３０５からの入力によってもマルチファンクション複写機ＭＦＰ１００上のモードメモリ設定の操作を行うことが可能となる。
【０２５１】
また、指紋データの管理をマルチファンクション複写機ＭＦＰ１００内とは切り離すことによって、マルチファンクション複写機ＭＦＰ１００がダウンしている場合にも、他のネットワーク上のデバイスから登録および認証を行うことができる。
【０２５２】
その他、認証サーバ１５０１として、指紋検索照合処理部３０４と外部記憶装置３１０を同時にもつサーバとしてネットワーク上に存在し、指紋読取装置３０５からの指紋データを一括管理、認証を行う構成としてもよいし、ホストコンピュータ１５０２に同様な機能を持たせる構成としてもよい。
【０２５３】
以上、本特許に関する実施例を説明したが、本特許に関する指紋照合は、指紋だけに限ったものではなく、他の身体的特徴を用いた方式で行ってもよい。すなわち、指紋の他、眼底カメラなどに使用することで網膜（眼底の毛細血管の模様）、虹彩（黒目の中の模様）から判別したり、ビデオカメラやカメラによる顔（顔の形）による判別。また小型マイクなどを設置することにより音声（音声の特徴、声紋）による判別。そして手形や掌紋（手の大きさや形）、筆跡（文字の書き方、筆圧）などの特徴、形、模様を利用し、個人を認証、照合してもよい。
【０２５４】
なお、本発明は、複数の機器（例えば、ホストコンピュータ、インターフェース機器、リーダ、プリンタなど）から構成されるシステムに適用しても、１つの機器（例えば、ＰＤＡ（個人情報管理）機器のような小型の画像処理機器、複写機、ファクシミリ装置）からなる装置に適用してもよい。
【０２５５】
また、本発明は、システム或いは装置にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０２５６】
この場合、記憶媒体から読出されたプログラムコード自体が前述した実施形態の機能を実現することになり、そのプログラムコードを記憶した記憶媒体は本発明を構成することになる。
【０２５７】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭ（マスクＲＯＭ、フラッシュＥＥＰＲＯＭなど）などを用いることができる。
【０２５８】
また、コンピュータが読出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれることは言うまでもない。
【０２５９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０２６０】
【発明の効果】
以上説明したように、本発明によれば、入力された画像データに対して所望の処理を実行するための処理モードを選択し、一方、身体的情報から抽出した特徴データを予め登録された管理者基準データと照合し、該照合された管理者単位の特徴データを所望の処理モードと関連付けをしてモード関連情報として登録し、その後、該モード関連情報に含まれる処理モードを実行する際には、該処理モードに関連付けて登録されている特徴データを用いて画像処理を実行する管理者の照合を行い、照合された管理者の指定する処理モードに基づいて画像データの画像処理を行うようにしたので、例えば、マルチファンクションデジタル複写機において、モードメモリ機能に、個々のユーザ特有の情報である指紋を割り当てることによって、複雑な画像処理機能の設定でも、ワンタッチで実行を行うことが可能となり、これにより、ユーザの利便性の高いモードメモリ機能を有する画像処理装置を構成することができる。
【０２６１】
また、本発明によれば、画像データを他の接続機器より送受信し、通信に用いられる通信アドレスを照合した特徴データと関連付けしてアドレス関連情報として登録しその後、登録したアドレス関連情報に含まれる通信アドレスにより通信処理を実行する際には、該通信アドレスに関連付けて登録させている特徴データを用いて、通信処理を実行する管理者の照合を行い、照合された管理者の指定する通信アドレスに基づいて画像データの送受信を行うようにしたので、例えば、マルチファンクションデジタル複写機において、操作部上のハードキー若しくはタッチパネルキーなどに登録していた送信先登録機能に、個々のユーザ特有の情報である指紋を割り当てることによって、複雑な画像処理機能の設定でも、ワンタッチで実行を行うことが可能となり、これにより、ユーザの利便性の高い送信先登録機能を有する画像処理装置を構成することができる。
【図面の簡単な説明】
【図１】本発明の第１の実施の形態である、画像処理装置としてのマルチファンクションデジタル複写機の構成を示す断面図である。
【図２】本発明の第１の実施の形態である、信号処理部の構成を示すブロック図である。
【図３】本発明の第１の実施の形態である、指紋照合装置の構成を示すブロック図である。
【図４】本発明の第１の実施の形態である、指紋照合装置で扱う指紋データパケットの構成例を示すブロック図である。
【図５】本発明の第１の実施の形態である、指紋データパケットのヘッダ部に格納される特徴データの抽出方法を示す説明図である。
【図６】本発明の第１の実施の形態を示すものであり、（ａ）は、指紋照合装置の登録処理動作を説明するフローチャート、（ｂ）は指紋照合装置の登録処理動作を説明するフローチャートである。
【図７】本発明の第１の実施の形態である、指紋照合装置の指紋照合動作を説明するフローチャートである。
【図８】本発明の第１，３の実施の形態である、モードメモリ設定および登録を行う際の動作を説明するフローチャートである。
【図９】本発明の第１の実施の形態である、拡張指紋データパケットの構成例を示すブロック図である。
【図１０】本発明の第１の実施の形態である、モードメモリ設定内容を実行させる際の指紋照合処理および送受信実行時の指紋照合処理を説明するフローチャートである。
【図１１】本発明の第２，１０の実施の形態である、モードメモリ登録時の指紋照合処理および送受信実行時の指紋照合処理を説明するフローチャートである。
【図１２】本発明の第４，５，６，７の実施の形態である、モードメモリ登録時の指紋登録処理を説明するフローチャートである。
【図１３】本発明の第８，１５の実施の形態である、指紋照合装置をネットワーク上に設置させる構成例を示すブロック図である。
【図１４】本発明の第９の実施の形態である、マルチファンクションデジタル複写機において、画像送受信を行う際の動作を説明するブロック図である。
【図１５】本発明の第９，１１の実施の形態である、送受信先登録を行う際の登録処理を説明するフローチャートである。
【図１６】本発明の第９の実施の形態である、拡張指紋データパケット構成例を示すブロック図である。
【図１７】本発明の第１２，１３，１４の実施の形態である、送受信先登録時の指紋登録処理を説明するフローチャートである。
【図１８】従来の画像処理装置の構成を示すブロック図である。
【符号の説明】
１００  マルチファンクションデジタル複写機
１０１  イメージリーダ部
１０２  プリンタ部
１１１  信号処理部
２００  指紋照合装置
２０１  画像処理部
２０７  ファクシミリ
３０４  指紋検索照合処理部
３０５  指紋読取装置
３０６  制御信号送信部
３０９  伝送制御部
３１０  外部記憶装置
４００  指紋データパケット
４０１  ヘッダ部
４０２  指紋照合用データエリア
４０２ａ  指紋照合用データ
１０００  拡張指紋データパケット
１００１  コピーモード設定情報データエリア
１００１ａ  コピーモード設定情報
１６００  ホストコンピュータ
１６１０  サーバ
１６２０  記憶装置
【図１】
0003703377.tif 000003
【図２】
0003703377.tif 000004
【図３】
0003703377.tif 000005
【図４】
0003703377.tif 000006
【図５】
0003703377.tif 000007
【図６】
0003703377.tif 000008
【図７】
0003703377.tif 000009
【図８】
0003703377.tif 000010
【図９】
0003703377.tif 000011
【図１０】
0003703377.tif 000012
【図１１】
0003703377.tif 000013
【図１２】
0003703377.tif 000014
【図１３】
0003703377.tif 000015
【図１４】
0003703377.tif 000016
【図１５】
0003703377.tif 000017
【図１６】
0003703377.tif 000018
【図１７】
0003703377.tif 000019
【図１８】
0003703377.tif 000020